(57)【要約】【課題】エンジンの排気口の配置を工夫して苗植付部にエンジン排ガスによる悪影響を無くした苗移植機を提供すること。【解決手段】走行車体２の後側に苗載台５１を有する苗植付部４を備え、走行車体２の車体カバー（フロアステップ）３５を、後輪１１に沿わせて後部が高くしてエンジン２０の排ガスのマフラーからの排気口３７ａを車体カバー（フロアステップ）３５の下端より上で機体側面視で車体カバー（フロアステップ）３５の後輪１１に沿う部分と後輪１１との間に、車体２の側方へ向けて設けたので、エンジン排ガスは車体後側でなく車体２の側方へ向けて排気するので、苗戴台５１が汚れず排熱もスムーズに行える。【選択図】図３
2005304447.tif 000002
【特許請求の範囲】
【請求項１】
走行車体２の後側に苗載台５１を有する苗植付部４を備え、
走行車体２の車体カバー３５を、後輪１１に沿わせて後部が高くなるように構成し、
エンジン２０からの排ガスの排気口３７ａを車体カバー３５の下端より上で機体側面視で車体カバー３５の後輪１１に沿う部分と後輪１１との間に車体２の側方へ向けて設けた
ことを特徴とする苗移植機。
【発明の詳細な説明】
【技術分野】
【０００１】
本発明はエンジン搭載の走行車体を用いる苗移植機に関し、特にそのエンジンの排気口の配置に関する。
【背景技術】
【０００２】
複数条の苗を圃場に植え付ける苗植付部を備えた苗移植機が知られているが、当該苗移植機はエンジンで走行駆動力と苗植付部の苗植付駆動力を得る構成である。
【０００３】
前記エンジンは、下記の特許公報に開示されているように、一般的に車体後方に、その排気ガスの排気口を向けて配置している。
【特許文献１】特開平９−３００９８３号公報
【特許文献２】特開２００２−１０４０６号公報
【発明の開示】
【発明が解決しようとする課題】
【０００４】
上記特許文献記載の苗移植機のエンジンの排気口は、後側に向けて排ガスを排出する構成である。そのために苗植付部に排ガスが当たり、苗載台が汚れ易く、また苗載台にある苗が排ガスの熱で悪影響を受けるおそれがある。
【０００５】
そこで本発明の課題はエンジンの排気口の配置を工夫して苗植付部にエンジン排ガスが当たることによる悪影響を無くした苗移植機を提供することである。
【課題を解決するための手段】
【０００６】
本発明の上記課題は次の解決手段により解決される。  
請求項１記載の発明は、走行車体２の後側に苗載台５１を有する苗植付部４を備え、走行車体２の車体カバー（フロアステップ）３５を、後輪１１に沿わせて後部が高くなるように構成し、エンジン２０からの排ガスの排気口３７ａを車体カバー（フロアステップ）３５の下端より上で機体側面視で車体カバー（フロアステップ）３５の後輪１１に沿う部分と後輪１１との間に、車体２の側方へ向けて設けた苗移植機である。
【発明の効果】
【０００７】
請求項１記載の発明によれば、排気口３７ａからのエンジン排ガスを車体後側へ向けて排気するのではなく、車体２の側方へ向けて排気するので、苗戴台５１が汚れない。また、排気口３７ａからの排気が下方へ向けて排気されるのではなく、また車体カバー（フロアステップ）３５の下端より上に排気口３７ａが設けられるので、排気口３７ａに泥が詰まることも防止できる。さらに、排気口３７ａが車体カバー（フロアステップ）３５の後輪１１に沿う部分と後輪１１との間に設けられるので、障害物がなくスムーズに機体側方にエンジン排ガスが排気され、排熱（排気）が良好である。
【発明を実施するための最良の形態】
【０００８】
以下、図面に基づき、本発明の好ましい実施の形態について説明する。  
図１及び図２は本発明を用いた一実施例である粉粒体繰出し装置として施肥装置を装着した施肥装置付き乗用型田植機を表している。この施肥装置付き乗用型田植機１は、走行車体２の後側に昇降リンク装置３を介して苗植付部４が昇降可能に装着され、走行車体２の後部上側に施肥装置５の本体部分が設けられている。
【０００９】
走行車体２は、駆動輪である左右一対の前輪１０、１０及び左右一対の後輪１１、１１を備えた四輪駆動車両であって、機体の前部にミッションケース１２が配置され、そのミッションケース１２の左右側方に前輪ファイナルケース１３、１３が設けられ、該左右前輪ファイナルケースの変向可能な各々の前輪支持部から外向きに突出する左右前輪車軸に左右前輪１０、１０が各々取り付けられている。また、ミッションケース１２の背面部にメインフレーム１５の前端部が固着されており、そのメインフレーム１５の後端左右中央部に前後水平に設けた後輪ローリング軸を支点にして後輪ギヤケース１８、１８がローリング自在に支持され、その後輪ギヤケース１８、１８から外向きに突出する後輪車軸に後輪１１、１１が取り付けられている。
【００１０】
エンジン２０はメインフレーム１５の上に搭載されており、該エンジンの回転動力が、第一ベルト伝動装置２１及びＨＳＴ２３を介してミッションケース１２に伝達される。ミッションケース１２に伝達された回転動力は、該ケース内のトランスミッションにて変速された後、走行動力と外部取出動力に分離して取り出される。そして、走行動力は、一部が前輪ファイナルケース１３、１３に伝達されて前輪１０、１Oを駆動すると共に、残りが後輪ギヤケース１８、１８に伝達されて後輪１１、１１を駆動する。また、外部取出動力は、走行車体２の後部に設けた植付クラッチケース２５に伝達され、それから植付伝動軸２６によって苗植付部４へ伝動されるとともに、施肥伝動機構２７によって施肥装置５へ伝動される。
【００１１】
エンジン２０の上部はエンジンカバー３０で覆われており、その上に座席３１が設置されている。座席３１の前方には各種操作機構を内蔵するフロントカバー３２があり、その上方に前輪１０、１０を操向操作するハンドル３４が設けられている。エンジンカバー３０及びフロントカバー３２の下端左右両側は水平状のフロアステップ３５になっている。フロアステップ３５の後部は、後輪フェンダを兼ねるリヤステップ３６となっている。また、走行車体２の前部左右両側には、補給用の苗を載せておく予備苗載台３８、３８が機体よりも側方に張り出す位置と内側に収納した位置とに回動可能に設けられている。
【００１２】
昇降リンク装置３は平行リンク構成であって、１本の上リンク４０と左右一対の下リンク４１、４１を備えている。これらリンク４０、４１、４１は、その基部側がメインフレーム１５の後端部に立設した背面視門形のリンクベースフレーム４２に回動自在に取り付けられ、その先端側に縦リンク４３が連結されている。そして、縦リンク４３の下端部に苗植付部４に回転自在に支承された連結軸４４が挿入連結され、連結軸４４を中心として苗植付部４がローリング自在に連結されている。メインフレーム１５に固着した支持部材と上リンク４０に一体形成したスイングアーム４５の先端部との間に昇降油圧シリンダ４６が設けられており、該シリンダを油圧で伸縮させることにより、上リンク４０が上下に回動し、苗植付部４がほぼ一定姿勢のまま昇降する。
【００１３】
苗植付部４は６条植の構成で、フレームを兼ねる伝動ケース５０、マット苗を載せて左右往復動し苗を一株分づつ各条の苗取出口５１ａ、…に供給するとともに横一列分の苗を全て苗取出口５１ａ、…に供給すると苗送りベルト５１ｂ、…により苗を下方に移送する苗載台５１、苗取出口５１ａ、…に供給された苗を苗植付具５２ａで圃場に植付ける苗植付装置５２、…、次行程における機体進路を表土面に線引きする左右一対の線引きマーカ５３、５３等を備えている。苗植付部４の下部には中央にセンターフロート５５、その左右両側にサイドフロート５６、５６がそれぞれ設けられている。これらフロートを圃場の泥面に接地させた状態で機体を進行させると、フロートが泥面を整地しつつ滑走し、その整地跡に苗植付装置５２、…により苗が植付けられる。各フロート５５、５６、５６は圃場表土面の凹凸に応じて前端側が上下動するように回動自在に取り付けられており、植付作業時にはセンターフロート５５の前部の上下動が上下動検出機構５７により検出され、その検出結果に応じ前記昇降油圧シリンダ４６を制御する油圧バルブを切り替えて苗植付部４を昇降させることにより、苗の植付深さを常に一定に維持する。
【００１４】
施肥装置５は、肥料ホッパ６０に貯留されている粒状の肥料を繰出部６１、…によって一定量づつ繰り出し、その肥料を施肥ホース６２、…でフロート５５、５６、５６の左右両側に取り付けた施肥ガイド６３、…まで導き、施肥ガイド６３、…の前側に設けた作溝体６４、…によって苗植付条の側部近傍に形成される施肥構内に落とし込むようになっている。電動モータ６６で駆動のブロア６７で発生させたエアが、左右方向に長いエアチャンバ６８を経由して施肥ホース６２、…に吹き込まれ、施肥ホース６２、…内の肥料を風圧で強制的に搬送するようになっている。
【００１５】
エンジン２０とその排気部の左側面図を図３（ａ）に示し、平面図を図３（ｂ）に示す。走行車体のフロアステップ３５と兼用の後輪カバーを、後輪１１に沿わせて後部が高くなるように構成し、マフラー３７に設けたエンジン排ガスの排気口３７ａを後輪カバー３５の下端より上で機体側面視で後輪カバー３５の後輪１１に沿う部分と後輪１１との間に、機体側方へ排ガス排出方向を向けて設ける。
【００１６】
なおエンジン２０とその排ガスの排気口３７ａとの間には排気ガス用パイプ２０ａ、２０ｂとマフラー３７とがあり。また施肥装置５内の肥料乾燥用のブロア６９がエンジン２０の側面に設けられている。
【００１７】
エンジン排気口３７ａからの排ガスを車体の後側へ向けて排気しないので、苗戴台５１が排ガスで汚れず、排熱で苗戴台５１が加熱されることもない。
【００１８】
また、エンジン排気口３７ａから排ガスを下方へ向けて排気せずに、また後輪カバー３５の下端より上に排気口３７ａが設けられるので、排気口３７ａに泥がつまることも防止でき、排気がスムーズに行える。さらに、排気ガス用パイプ２０ａ、２０ｂが施肥装置５内の肥料乾燥用のブロア６９の横にあるので、例えばパイプ２０ａの周囲にカバー１９を設けて、施肥装置５内の肥料乾燥用のブロア６９に排気ガス用パイプ近傍の温風を吸入させて、施肥装置５の乾燥に利用することができる。
【００１９】
エンジン２０の周りの温められた空気が肥料乾燥用のブロア６９に有効に吸い込まれるように、エンジン２０の両側に設ける遮音板５９で空気を集めることが望ましい。また遮音板５９は車体（フロアステップ３５の裏面）に着脱自在に設けることで、エンジン２０及びその周囲の部品のメンテナンスが比較的楽に行える。
【００２０】
これは排気ガス用パイプ２０ａ，２０ｂはエンジン２０の中で１番温度が高く、又前記エンジン排気ガス用パイプ２０ａ，２０ｂの外周のカバーより直接空気を吸うことでかなりの高温な空気を吸い込むことが可能になるためである。
【００２１】
また施肥装置５に供給する温風用のブロア６９はエンジン２０で温められた空気のみを吸入する構成として、マフラ３７からの排ガスは吸わないようにしている。これはエンジン排ガスの湿度が肥料の乾燥には高過ぎるからである。
【００２２】
本発明の他の実施例のエンジン周りの概略構成の側面図を図４（ａ）に示し、平面図を図４（ｂ）に示す。車体の中央部にエンジン２０を搭載し、その右側に苗植付部４の駆動用クラッチケース（株間変速ケース）２５を設け、左側にマフラー３７を配置し、そして駆動用クラッチケース２５とマフラー３７を共に機体平面視で左右のアッパフレーム６間に配置した構成にしても良い。従来の田植機ではマフラー３７はエンジン左側のアッパフレーム６の外側に配置していたが、本実施例ではアッパフレーム６の内側にあるため、その外側のシースルーステップが有効に利用できる。
【産業上の利用可能性】
【００２３】
本発明は苗植付部などの作業装置をエンジンの後方に設けた苗移植機として利用できる。
【図面の簡単な説明】
【００２４】
【図１】本発明の一実施例の施肥装置付き乗用型田植機の側面図である。
【図２】図１の施肥装置付き乗用型田植機の平面図である。
【図３】図１のエンジン周りの概略構成の側面図（図３（ａ））と平面図（図３（ｂ））である。
【図４】本発明の他の実施例のエンジン周りの概略構成の側面図（図４（ａ））と平面図（図４（ｂ））である。
【符号の説明】
【００２５】
１  施肥装置付き乗用型田植機      ２  走行車体
３  昇降リンク装置                ４  苗植付部
５  粉粒体繰出し装置（施肥装置）  
６  アッパフレーム                １０  前輪
１１  後輪                        １２  ミッションケース
１３  前輪ファイナルケース        １５  メインフレーム
１８  後輪ギヤケース              １９  カバー
２０  エンジン                    ２０ａ、２０ｂ  排気ガス用パイプ
２１  第一ベルト伝動装置          ２３  ＨＳＴ
２５  植付クラッチケース          ２６  植付伝動軸
２７  施肥伝動機構                ３０  エンジンカバー
３１  座席                        ３２  フロントカバー
３４  ハンドル                    ３５  フロアステップ
３６  リヤステップ                ３７  マフラー
３７ａ  エンジン排ガスの排気口    ３８  予備苗載台
４０  上リンク                    ４１  下リンク
４２  リンクベースフレーム        ４３  縦リンク
４４  連結軸                      ４５  スイングアーム
４６  昇降油圧シリンダ            ５０  伝動ケース
５１  苗載台                      ５１ａ  苗取出口
５１ｂ  苗送りベルト              ５２  苗植付装置
５２ａ  苗植付具                  ５３  線引きマーカ
５５  センタープレート            ５６  サイドプレート
５７  上下動検出機構              ５９  遮音板
６０  ホッパ（肥料ホッパ）
６０ａ  蓋                        ６１  繰出部
６１ａ  吐出口                    ６２  施肥ホース
６３  施肥ガイド                  ６４  作溝体
６６  電動モータ                  ６７  肥料搬送用ブロア
６８  エアチャンバ                ６９  肥料乾燥用ブロア
【図１】
2005304447.tif 000003
【図２】
2005304447.tif 000004
【図３】
2005304447.tif 000005
【図４】
2005304447.tif 000006